(57)【要約】【課題】指定した送信相手先に対して送信動作を開始して実際に送信する前に、指定した送信相手先の情報を確実に確認することが可能な通信装置を提供する。【解決手段】通信相手先を指定する相手先指定手段と、通信開始を指示する通信開始指示手段と、通信開始指示手段による指示を受けて通信を行う通信手段と、機器状態や操作内容に関する種々の情報を表示する表示手段と、を備える通信装置は、通信を制御する制御手段を有する。当該制御手段は、通信手段により実際に通信する前に、相手先指定手段により指定された通信相手先に関する全ての情報を相手先確認画面として表示手段に表示させ、該全ての情報について確認処理がなされた後に、通信開始指示手段による通信開始の指示を受け付ける制御を行う。【選択図】図８
2008104019.tif 000002
【特許請求の範囲】
【請求項１】
通信相手先を指定する相手先指定手段と、通信開始を指示する通信開始指示手段と、前記通信開始指示手段による指示を受けて通信を行う通信手段と、機器状態や操作内容に関する種々の情報を表示する表示手段と、を備える通信装置であって、
前記通信手段による通信の前に、前記相手先指定手段により指定された通信相手先に関する全ての情報を相手先確認画面として前記表示手段に表示させ、該全ての情報について確認処理がなされた後に、前記通信開始指示手段による通信開始の指示を受け付ける制御を行う制御手段を有することを特徴とする通信装置。
【請求項２】
前記制御手段は、前記通信相手先に関する全ての情報の中で前記表示手段に表示されない情報が存在する場合に、該表示されない情報を表示させるための操作手段を提示し、前記操作手段により前記通信相手先に関する全ての情報を前記表示手段に表示させる制御を行うことを特徴とする請求項１に記載の通信装置。
【請求項３】
前記制御手段は、前記操作手段により前記通信相手先に関する全ての情報が前記表示手段に表示され、該全ての情報について確認処理がなされた後に、前記通信開始指示手段による通信開始の指示を受け付ける制御を行うことを特徴とする請求項２に記載の通信装置。
【請求項４】
前記制御手段は、前記通信相手先に関する情報が前記表示手段に全桁表示されない場合に、該表示されない桁数の情報を表示させるための操作手段を提示し、前記操作手段により前記通信相手先に関する全桁の情報を前記表示手段に表示させる制御を行うことを特徴とする請求項２に記載の通信装置。
【請求項５】
前記制御手段は、前記操作手段により前記通信相手先に関する全桁の情報が前記表示手段に表示され、該全桁の情報について確認処理がなされた後に、前記通信開始指示手段による通信開始の指示を受け付ける制御を行うことを特徴とする請求項４に記載の通信装置。
【請求項６】
前記制御手段は、前記通信相手先に関する情報に付加情報が含まれる場合に、該付加情報を表示させるための操作手段を提示し、前記操作手段により前記通信相手先に関する付加情報を前記表示手段に表示させる制御を行うことを特徴とする請求項２又は４に記載の通信装置。
【請求項７】
前記制御手段は、前記付加情報が前記表示手段に表示され、該付加情報について確認処理がなされた後に、前記通信開始指示手段による通信開始の指示を受け付ける制御を行うことを特徴とする請求項６に記載の通信装置。
【請求項８】
前記制御手段は、前記相手先指定手段により複数の通信相手先が指定され、該複数の通信相手先の全てが前記表示手段に一度に表示されない場合に、該表示されない通信相手先を表示させるための操作手段を提示し、前記操作手段により前記複数の通信相手先の全てを前記表示手段に表示させる制御を行うことを特徴とする請求項２、４、６のいずれか１項に記載の通信装置。
【請求項９】
前記制御手段は、前記操作手段により前記複数の通信相手先の全てが前記表示手段に表示され、該複数の通信相手先について確認処理がなされた後に、前記通信開始指示手段による通信開始の指示を受け付ける制御を行うことを特徴とする請求項８に記載の通信装置。
【請求項１０】
前記制御手段は、前記相手先指定手段によりグループ単位で通信相手先が指定された場合に、該グループを構成する個々の通信相手先を前記表示手段に表示させ、該個々の通信相手先に関する全ての情報について確認処理がなされた後に、前記通信開始指示手段による通信開始の指示を受け付ける制御を行うことを特徴とする請求項１から９のいずれか１項に記載の通信装置。
【請求項１１】
さらに、過去に指定した実績のある通信相手先を記憶する記憶手段を有し、
前記制御手段は、前記記憶手段に記憶されていない指定実績のない通信相手先が前記相手先指定手段により指定された場合に、該指定実績のない通信相手先に関する全ての情報を相手先確認画面として前記表示手段に表示させ、該全ての情報について確認処理がなされた後に、前記通信開始指示手段による通信開始の指示を受け付ける制御を行うことを特徴とする請求項１から１０のいずれか１項に記載の通信装置。
【請求項１２】
前記制御手段は、前記相手先指定手段により複数の通信相手先が指定され、該複数の中に前記指定実績のない通信相手先が含まれる場合に、該指定実績のない通信相手先に関する全ての情報についてのみ相手先確認画面として前記表示手段に表示させることを特徴とする請求項１１に記載の通信装置。
【請求項１３】
前記記憶手段は、過去に指定した実績のある通信相手先についてユーザごとに記憶し、
前記制御手段は、機器操作を行っているユーザが前記相手先指定手段により前記指定実績のない通信相手先を指定した場合に、該指定実績のない通信相手先に関する全ての情報を相手先確認画面として前記表示手段に表示させ、該全ての情報について確認処理がなされた後に、前記通信開始指示手段による通信開始の指示を受け付ける制御を行うことを特徴とする請求項１１に記載の通信装置。
【請求項１４】
前記制御手段は、機器操作を行っているユーザが前記相手先指定手段により複数の通信相手先が指定し、該複数の中に前記指定実績のない通信相手先が含まれる場合に、該指定実績のない通信相手先に関する全ての情報についてのみ相手先確認画面として前記表示手段に表示させることを特徴とする請求項１３に記載の通信装置。
【請求項１５】
前記記憶手段は、過去に指定した実績のある通信相手先とともにその通信日時を記憶し、
前記制御手段は、前記相手先指定手段により指定された通信相手先が過去に指定実績のある場合であっても、前回の通信時から一定期間経過しているときには、指定実績のない通信相手先として扱うことを特徴とする請求項１１から１４のいずれか１項に記載の通信装置。
【発明の詳細な説明】
【技術分野】
【０００１】
本発明は、通信装置に関し、特に、複合機やファクシミリ装置、メール機能を有する端末装置等の宛先を指定して通信する機能を備える装置において好適に用いられる技術であって、宛先を指定して送信する際に宛先に確実に確認させる技術に関するものである。
【背景技術】
【０００２】
近年のファクシミリ装置は、宛先を一件のみならず複数件指定することができ、複数の宛先を指定することによって、一度の操作で同じ原稿を指定した複数の宛先に送信することが可能である。例えば特許文献１では、複数の宛先に送信する際におけるワンタッチダイヤルキーの操作効率の向上を企図したファクシミリ装置が提案されている。
【０００３】
ところで、最近は誤って指定した宛先に送信してしまうことによる情報漏洩等が問題になっており、指定した宛先が誤っていないか送信前に確認することが必要となってきている。そして、特に複数宛先を指定している場合、それぞれの宛先が誤っていないか確認するのはかなりの手間がかかるため、宛先を確認せずに送信してしまいがちである。例えば特許文献２では、送信操作において相手先の確認を要求して、誤った宛先への送信を防止するファクシミリ装置が開示されている。
【特許文献１】特開平６−１０５０１５号公報
【特許文献２】特開平１１−２３４４５８号公報
【発明の開示】
【発明が解決しようとする課題】
【０００４】
引用文献１のファクシミリ装置では、複数の宛先の指定を簡単に行う方法が示されているものの、指定した宛先の内容を確認させることは特に行っていない。また、引用文献２のファクシミリ装置は、宛先確認機能ＯＮ／ＯＦＦスイッチの設定に応じて宛先確認送信処理を行うものであるが、この宛先確認送信処理は例えば複数宛先を指定したときに全ての宛先を確実に確認させることができるものではなく、指定した宛先の確実な確認を担保できていない。
【０００５】
そこで、本発明は、上記事情に鑑みて、指定した送信相手先に対して送信動作を開始して実際に送信する前に、指定した送信相手先の情報を確実に確認することが可能な通信装置を提供することを目的とする。
【課題を解決するための手段】
【０００６】
かかる目的を達成するために、請求項１記載の発明は、通信相手先を指定する相手先指定手段と、通信開始を指示する通信開始指示手段と、前記通信開始指示手段による指示を受けて通信を行う通信手段と、機器状態や操作内容に関する種々の情報を表示する表示手段と、を備える通信装置であって、前記通信手段による通信の前に、前記相手先指定手段により指定された通信相手先に関する全ての情報を相手先確認画面として前記表示手段に表示させ、該全ての情報について確認処理がなされた後に、前記通信開始指示手段による通信開始の指示を受け付ける制御を行う制御手段を有することを特徴とする。
【０００７】
また、請求項２記載の発明は、請求項１に記載の通信装置において、前記制御手段は、前記通信相手先に関する全ての情報の中で前記表示手段に表示されない情報が存在する場合に、該表示されない情報を表示させるための操作手段を提示し、前記操作手段により前記通信相手先に関する全ての情報を前記表示手段に表示させる制御を行うことを特徴とする。
【０００８】
また、請求項３記載の発明は、請求項２に記載の通信装置において、前記制御手段は、前記操作手段により前記通信相手先に関する全ての情報が前記表示手段に表示され、該全ての情報について確認処理がなされた後に、前記通信開始指示手段による通信開始の指示を受け付ける制御を行うことを特徴とする。
【０００９】
また、請求項４記載の発明は、請求項２に記載の通信装置において、前記制御手段は、前記通信相手先に関する情報が前記表示手段に全桁表示されない場合に、該表示されない桁数の情報を表示させるための操作手段を提示し、前記操作手段により前記通信相手先に関する全桁の情報を前記表示手段に表示させる制御を行うことを特徴とする。
【００１０】
また、請求項５記載の発明は、請求項４に記載の通信装置において、前記制御手段は、前記操作手段により前記通信相手先に関する全桁の情報が前記表示手段に表示され、該全桁の情報について確認処理がなされた後に、前記通信開始指示手段による通信開始の指示を受け付ける制御を行うことを特徴とする。
【００１１】
また、請求項６記載の発明は、請求項２又は４に記載の通信装置において、前記制御手段は、前記通信相手先に関する情報に付加情報が含まれる場合に、該付加情報を表示させるための操作手段を提示し、前記操作手段により前記通信相手先に関する付加情報を前記表示手段に表示させる制御を行うことを特徴とする。
【００１２】
また、請求項７記載の発明は、請求項６に記載の通信装置において、前記制御手段は、前記付加情報が前記表示手段に表示され、該付加情報について確認処理がなされた後に、前記通信開始指示手段による通信開始の指示を受け付ける制御を行うことを特徴とする。
【００１３】
また、請求項８記載の発明は、請求項２、４、６のいずれか１項に記載の通信装置において、前記制御手段は、前記相手先指定手段により複数の通信相手先が指定され、該複数の通信相手先の全てが前記表示手段に一度に表示されない場合に、該表示されない通信相手先を表示させるための操作手段を提示し、前記操作手段により前記複数の通信相手先の全てを前記表示手段に表示させる制御を行うことを特徴とする。
【００１４】
また、請求項９記載の発明は、請求項８に記載の通信装置において、前記制御手段は、前記操作手段により前記複数の通信相手先の全てが前記表示手段に表示され、該複数の通信相手先について確認処理がなされた後に、前記通信開始指示手段による通信開始の指示を受け付ける制御を行うことを特徴とする。
【００１５】
また、請求項１０記載の発明は、請求項１から９のいずれか１項に記載の通信装置において、前記制御手段は、前記相手先指定手段によりグループ単位で通信相手先が指定された場合に、該グループを構成する個々の通信相手先を前記表示手段に表示させ、該個々の通信相手先に関する全ての情報について確認処理がなされた後に、前記通信開始指示手段による通信開始の指示を受け付ける制御を行うことを特徴とする。
【００１６】
また、請求項１１記載の発明は、請求項１から１０のいずれか１項に記載の通信装置において、さらに、過去に指定した実績のある通信相手先を記憶する記憶手段を有し、前記制御手段は、前記記憶手段に記憶されていない指定実績のない通信相手先が前記相手先指定手段により指定された場合に、該指定実績のない通信相手先に関する全ての情報を相手先確認画面として前記表示手段に表示させ、該全ての情報について確認処理がなされた後に、前記通信開始指示手段による通信開始の指示を受け付ける制御を行うことを特徴とする。
【００１７】
また、請求項１２記載の発明は、請求項１１に記載の通信装置において、前記制御手段は、前記相手先指定手段により複数の通信相手先が指定され、該複数の中に前記指定実績のない通信相手先が含まれる場合に、該指定実績のない通信相手先に関する全ての情報についてのみ相手先確認画面として前記表示手段に表示させることを特徴とする。
【００１８】
また、請求項１３記載の発明は、請求項１１に記載の通信装置において、前記記憶手段は、過去に指定した実績のある通信相手先についてユーザごとに記憶し、前記制御手段は、機器操作を行っているユーザが前記相手先指定手段により前記指定実績のない通信相手先を指定した場合に、該指定実績のない通信相手先に関する全ての情報を相手先確認画面として前記表示手段に表示させ、該全ての情報について確認処理がなされた後に、前記通信開始指示手段による通信開始の指示を受け付ける制御を行うことを特徴とする。
【００１９】
また、請求項１４記載の発明は、請求項１３に記載の通信装置において、前記制御手段は、機器操作を行っているユーザが前記相手先指定手段により複数の通信相手先が指定し、該複数の中に前記指定実績のない通信相手先が含まれる場合に、該指定実績のない通信相手先に関する全ての情報についてのみ相手先確認画面として前記表示手段に表示させることを特徴とする。
【００２０】
また、請求項１５記載の発明は、請求項１１から１４のいずれか１項に記載の通信装置において、前記記憶手段は、過去に指定した実績のある通信相手先とともにその通信日時を記憶し、前記制御手段は、前記相手先指定手段により指定された通信相手先が過去に指定実績のある場合であっても、前回の通信時から一定期間経過しているときには、指定実績のない通信相手先として扱うことを特徴とする。
【発明の効果】
【００２１】
本発明によれば、指定した送信相手先に対して送信動作を開始して実際に送信する前に、指定した送信相手先の情報を確実に確認することが可能な通信装置が実現される。
【発明を実施するための最良の形態】
【００２２】
図面を参照しながら、本発明を実施するための最良の形態について説明する。はじめに構成について説明し、次いで処理動作の詳細について述べる。
【００２３】
以下、図１及び図２を用いて、本発明の実施形態の通信装置の構成について説明する。図１は、本実施形態の通信装置である複合機の内部構成を示した図である。当該複合機は、Ｇ３ファクシミリ通信を行うためのＧ３ファクシミリ機能と、複写物をプリントアウトするための複写機能を備えている。そして、該複合機は、システム制御部１、システムメモリ２、パラメータメモリ３、時計回路４、スキャナ５、プロッタ６、操作表示部７、符号化復号化部８、画像蓄積装置９、Ｇ３ファクシミリモデム１０、網制御装置１１、及び内部バス１２から構成される。
【００２４】
システム制御部１は、複合機の各部の制御処理、所定のＧ３ファクシミリ伝送制御手順処理、及び複写制御処理を行う。システムメモリ２は、システム制御部１が実行する制御処理プログラム、及び該制御処理プログラムを実行するときに必要な各種データ等を記憶するとともに、システム制御部１のワークエリアを構成する。パラメータメモリ３は、複合機に固有な各種の情報を記憶する。時計回路４は、現在時刻情報を出力するためのものである。
【００２５】
スキャナ５は、所定の解像度で原稿画像を読み取るためのものであり、プロッタ６は、所定の解像度で画像を記録出力するためのものであり、操作表示部７は、この複合機を操作するためのもので、各種の操作キー及び各種の表示器からなる。詳細は後述する。
【００２６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。Ｇ３ファクシミリモデム１０は、Ｇ３ファクシミリのモデム機能を実現するためのものであり、伝送手順信号をやりとりするための低速モデム機能（Ｖ．２１モデム）、及び、主に画情報をやりとりするための高速モデム機能（Ｖ．１７モデム、Ｖ．３４モデム、Ｖ．２９モデム、Ｖ．２７ｔｅｒモデム等）を備えている。網制御装置１１は、複合機をアナログ公衆網ＰＳＴＮに接続するためのものであり、自動発着信機能を備えている。
【００２７】
これらの、システム制御部１、システムメモリ２、パラメータメモリ３、時計回路４、スキャナ５、プロッタ６、操作表示部７、符号化復号化部８、画像蓄積装置９、Ｇ３ファクシミリモデム１０、及び網制御装置１１は、内部バス１２に接続されており、これらの各要素間でのデータのやりとりは、主としてこの内部バス１２を介して行われている。また、網制御装置１１とＧ３ファクシミリモデム１０との間のデータのやりとりは、直接行われる。
【００２８】
図２は、本実施形態の複合機における操作表示部７の一例を示した図である。ここでは、操作表示部７は、スタートキー７１、ストップキー７２、テンキー７３、クリアキー７４、ファクスキー７５、コピーキー７６、初期設定キー７７、液晶表示器７８、及びタッチパネル７９を備えている。
【００２９】
スタートキー７１は、複合機の送信動作の開始を指令入力するためのものであり、本実施形態ではその指令によって原稿の読み取り及び通信動作を開始するものとする。ストップキー７２は、複合機の動作の停止を指令入力するためのものであり、テンキー７３は、電話番号等の数字（数値）情報を入力するためのものであり、クリアキー７４は、テンキー７３より入力した電話番号等を消去するためのものである。
【００３０】
ファクスキー７５は、複合機の動作モードをファクシミリモードへ設定するためのものであり、コピーキー７６は、複合機の動作モードをコピーモードへ設定するためのものであり、初期設定キー７７は、複合機の動作モードを初期設定モードへ設定するためのものである。
【００３１】
液晶表示器７８は、複合機の操作ガイダンスの表示や、入力情報のフィードバック表示等といった種々のメッセージを表示するためのものであり、この液晶表示器７８には、ユーザのタッチ入力操作のためのタッチパネル７９が付設されている。ユーザの操作入力は、液晶表示器７８に表示される操作項目について画面をタッチ操作することで行われ、そのユーザのタッチ操作の発生及びタッチ座標等は、付設されているタッチパネル７９により検出されてシステム制御部１へと通知される。
【００３２】
次に、本発明の実施形態における処理動作について図３から図１８を用いて説明する。図３は、本実施形態の複合機において宛先を入力する際の画面フロー例を示した図である。
【００３３】
（Ａ）が宛先未入力の画面で、この時に「宛先追加」ボタンを押す（画面上「宛先追加」の部分にタッチする）と、（Ｂ）の宛先入力中画面に移る。（Ｂ）では宛先表示枠（画面内の左上部分の太枠）内にカーソル（下線）が表示されるが、これはテンキーから電話番号を一桁ずつ入力できることを示す。（Ｂ）でテンキーから電話番号を入力すると（Ｃ１）のように入力した電話番号が宛先表示枠に表示され、「確定」「Ｆコード」ボタンが表示される（これらのボタンは、電話番号や電話帳宛先の未入力状態では非表示）。
【００３４】
他方、電話帳に宛先があらかじめ登録されている場合には、宛先入力中画面（Ｂ）では電話帳宛先のボタン（「東京本店」等）が表示される。そこで電話帳宛先ボタンを押すと、（Ｃ２）のように電話帳に登録された電話番号（ここでは「４５６」）と宛先名称（ここでは［東京本店］）が宛先表示枠に表示され、「確定」「Ｆコード」ボタンが表示され、押下した電話帳宛先ボタン（ここでは「東京本店」）が反転する。
【００３５】
そして、宛先を入力した状態（Ｃ１）及び（Ｃ２）で「確定」ボタンを押すと、宛先の入力が確定し、（Ｄ１）及び（Ｄ２）の画面になり、件数が１増える。なお、電話帳から宛先を選択した場合、その宛先名称（（Ｄ２）の［東京本店］）も表示される。
【００３６】
図４は、本実施形態の複合機においてグループ宛先を入力する際の画面フロー例を示した図である。
【００３７】
本実施形態では、電話帳には複数の宛先を１つにまとめた「グループ宛先」を登録する機能を有するように構成してもよい。「グループ宛先」を使えば、例えば「東京支店」「横浜支店」「さいたま支店」「千葉支店」の４つの宛先が「関東」というグループ宛先に所属するように登録しておけば、「関東」というグループ宛先を１つ指定するだけで、「東京支店」「横浜支店」「さいたま支店」「千葉支店」の４つの宛先を指定したのと同様となり、複数宛先を指定する操作が簡単になる。
【００３８】
グループ宛先指定の操作は通常の電話帳宛先と同様で、（Ｂ）で「［Ｇ］関東」という宛先ボタン（［Ｇ］がグループを表す）を押すと、（Ｃ）でそのグループ宛先が入力される。確定ボタン押下後、（Ｄ）で件数はグループに所属している宛先の件数分（図では４件）増える。
【００３９】
図５は、本実施形態の複合機においてＦコードを入力する際の画面フロー例を示した図である。
【００４０】
本実施形態では、ファクス送信の際に宛先の付加情報としてＦコードをつけて送信する機能を有するように構成してもよい。ＦコードにはＳＵＢ、ＳＩＤ、ＳＥＰ、ＰＷＤの４種類があり、Ｆコードを用いれば親展送信等の機能を実現することができる。
【００４１】
（Ａ）に示すように、宛先を入力すると「Ｆコード」というボタンが現れるので、「Ｆコード」を押すと（Ｂ）のＦコード入力画面が表示される。（Ｂ）では「ＳＵＢ」ボタンが反転しているが、これはその時点でテンキーからＳＵＢが入力できることを表す（「ＳＥＰ」等、他のボタンを押すとＳＵＢ以外の別のＦコードが入力できる）。（Ｃ）のようにＦコードを入力した後、「確定」ボタンを押すと、（Ｄ）のように宛先へのＦコードの入力が完了する。（Ｄ）及び（Ｅ）において、宛先にＳＵＢがあることを表すため、宛先表示枠内に「ＳＵＢ」と表示している。
【００４２】
＜請求項１記載の動作＞
図６は、本実施形態において請求項１記載の動作の画面フロー例を示した図である。元画面（宛先入力済みの画面）でスタートキーを押すと、送信動作（原稿の読み取り・通信）を開始するのではなく、まず（Ａ）の宛先確認画面を表示する。（Ａ）で「ＯＫ」を押して初めて送信動作を開始する。このようにすることにより、実際に原稿の読み取りや通信動作を開始する前にユーザに一旦宛先の確認をさせることができる。
【００４３】
＜請求項４及び５記載の動作＞
図７は、本実施形態において請求項４及び５記載の動作の画面フローを示した図である。ここでは宛先確認画面では最大２０桁まで表示できて、宛先が「０１２３４５６７８９０１２３４５６７８９０１２３」（２４桁）とする。（Ａ）に示すように、宛先確認画面が最初に開かれたときは、先頭２０桁分を表示しているが、表示していない部分（後ろ４桁分）を表示させるために「→」というキーがある。この「→」を押すと（Ｂ）のように１桁分後ろ（右）にずらして表示され、（Ｃ）のように計４回「→」を押すと宛先の最後尾まで表示される。最後尾まで表示されると宛先を全桁確認したことになるので、（Ａ）及び（Ｂ）ではＯＫボタンは表示されないが、（Ｃ）ではじめてＯＫボタンが押下できる（原稿の読み取りや通信動作を開始させる）ようになっている。
【００４４】
図８は、本実施形態において請求項４及び５記載の動作の処理フローを示した図である。Ａは初期フローで最初に宛先確認画面が開かれたときの処理を表し、Ｂは「←」ボタン押下時の処理、Ｃは「→」ボタン押下時の処理を表す。Ｄは表示更新フローでＡ〜Ｃの各処理後に行う処理を表す。また、本処理フローで用いられるパラメータについて述べる。「Ｖ」は宛先確認画面に表示可能な桁数、「ｎ」は宛先の桁数、「ｐ」は表示開始桁位置、そして「ｏｋ＿ｆｌａｇ」は送信開始操作の可否状態を表す。
【００４５】
「Ａ．初期フロー」では、まず表示開始桁位置ｐを初期化する（ステップＳＡ８０１）。次に、宛先の桁数ｎが表示できる桁数Ｖ以内なら（ステップＳＡ８０２／ＹＥＳ）最初の画面で全桁表示するので「ｏｋ＿ｆｌａｇ＝ＴＲＵＥ」（送信開始操作可能）（ステップＳＡ８０３）とし、さもなければ（ステップＳＡ８０２／ＮＯ）最初は全桁表示しないので「ｏｋ＿ｆｌａｇ＝ＦＡＬＳＥ」（送信開始操作不可）（ステップＳＡ８０４）として、随時表示更新を行う（ステップＳＡ８０５）。
【００４６】
「Ｂ．「←」押下時フロー」や「Ｃ．「→」押下時フロー」では、表示開始桁位置ｐを１減算して前（左）に設定したり（ステップＳＢ８０１）、１加算して後ろ（右）に設定したり（ステップＳＣ８０１）して表示更新を行う（ステップＳＢ８０２、ステップＳＣ８０４）。なお、「Ｃ．「→」押下時フロー」において、表示開始位置ｐを１桁後ろにずらすほか（ステップＳＣ８０１）、最後の桁まで表示する状態（ｐ＝ｎ−Ｖ）になったら（ステップＳＣ８０２／ＹＥＳ）、「ｏｋ＿ｆｌａｇ＝ＴＲＵＥ」（送信開始操作可能）にする（ステップＳＣ８０３）。そして、表示更新を行う（ステップＳＣ８０４）。
【００４７】
「Ｄ．表示更新フロー」では、「Ａ．初期フロー」の処理においては、ｏｋ＿ｆｌａｇの内容に応じて（ステップＳＤ８０１）ＯＫボタンを表示／非表示にして（ステップＳＤ８０２及び８０４）メッセージを表示する（ステップＳＤ８０３及び８０５）。また、「Ｂ．「←」押下時フロー」や「Ｃ．「→」押下時フロー」の処理においては、表示開始位置ｐの値に応じて（ステップＳＤ８０６及び８０９）「←」ボタンや「→」ボタンの表示／非表示を行う（ステップＳＤ８０７、８０８、８１０、８１１）。そして、表示開始位置ｐから最大Ｖ桁だけ宛先内容を表示する（ステップＳＤ８１２）。
【００４８】
このようにすることにより、一画面で全桁表示できない長い宛先の場合でも、「→」を押すことによって全桁確認でき、かつ、全桁確認するまでは原稿の読み取りや通信動作を開始できないようになっている。
【００４９】
＜請求項６及び７記載の動作＞
図９は、本実施形態において請求項６及び７記載の動作の画面フローを示した図である。宛先にＦコードがある場合、宛先確認画面（Ａ）で「Ｆコード」ボタンが表示されるが、（Ａ）の時点ではまだ「ＯＫ」ボタンは非表示である。「Ｆコード」を押すとＦコード確認画面（Ｂ）が表示される。Ｆコードの確認が済み、（Ｂ）で「確認」を押して元の宛先確認画面（Ｃ）に戻ると、ＯＫボタンが押せる（送信開始できる）ようになっている。
【００５０】
図１０は、本実施形態において請求項６及び７記載の動作の処理フローを示した図である。Ａは初期フローで最初に宛先確認画面が開かれたときの処理を表し、ＢはＦコード確認画面での確認ボタン押下時の処理、Ｃは表示更新フローでＡ及びＢの各処理後に行う処理を表す。なお、「ｏｋ＿ｆｌａｇ」は、図８のそれと同様に、送信開始操作が可否状態を表す。
【００５１】
「Ａ．初期フロー」において、表示開始桁位置ｐを初期化した後（ステップＳＡ１００１）、宛先にＦコードがあれば（ステップＳＡ１００２／ＹＥＳ）ｏｋ＿ｆｌａｇにＦＡＬＳＥ（送信開始操作不可）を設定してＦコードボタンを表示する（ステップＳＡ１００３及び１００４）。他方、宛先にＦコードがなければ（ステップＳＡ１００２／ＮＯ）、ｏｋ＿ｆｌａｇにＴＲＵＥ（送信開始操作可能）を設定してＦコードボタンを非表示にする（ステップＳＡ１００５及び１００６）。そして、表示更新を行う（ステップＳＡ１００７）。
【００５２】
「Ｂ．Ｆコード確認画面での確認押下時フロー」において、Ｆコード確認画面で確認ボタンを押したとき、ｏｋ＿ｆｌａｇにＴＲＵＥ（送信開始操作可能）を設定し（ステップＳＢ１００１）、Ｆコード確認画面を閉じ（ステップＳＢ１００２）、表示更新へ移行する（ステップＳＢ１００３）。
【００５３】
「Ｃ．表示更新フロー」では、ｏｋ＿ｆｌａｇの内容に応じて（ステップＳＣ１００１）、ＯＫボタンの表示／非表示を行い（ステップＳＣ１００２及び１００４）、該表示／非表示に対応したメッセージを表示させる（ステップＳＣ１００３及び１００５）。
【００５４】
このようにすることにより、宛先にＦコードがある場合、宛先確認画面でＦコードの内容も確認でき、かつ、Ｆコードの内容を確認するまでは原稿の読み取りや通信動作が開始できないようになっている。
【００５５】
＜請求項８及び９記載の動作＞
図１１は、本実施形態において請求項８及び９記載の動作の画面フローを示した図である。ここでは宛先を４つ入力しているものとする。
【００５６】
宛先確認画面が最初に開かれたとき、（Ａ）のように１つ目の宛先を表示している。ここで「▼」ボタンを１回押すと（Ｂ）のように２つ目の宛先が表示される。計３回「▼」ボタンを押すと（Ｃ）のように最後の４つ目の宛先が表示される。（Ａ）及び（Ｂ）の画面ではＯＫボタンは表示されないが、（Ｃ）の画面まで進むと全宛先を確認したことになるので、（Ｃ）で初めてＯＫボタンが表示され押下できる（送信開始できる）ようになっている。
【００５７】
図１２は、本実施形態において請求項８及び９記載の動作の処理フローを示した図である。Ａは初期フローで最初に宛先確認画面が開かれたときの処理を表し、Ｂは「▲」押下時の処理、Ｃは「▼」押下時の処理を表す。Ｄは表示更新フローでＡ〜Ｃの各処理後に行う処理を表す。また、本処理フローで用いられるパラメータについて述べる。「ｌｎ」は、宛先確認画面で表示する宛先数、「ｃｏｎｆ＿ｌｉｓｔ［０］〜ｃｏｎｆ＿ｌｉｓｔ［ｌｎ−１］」は宛先確認画面で表示する各宛先、「ｌｐ」は表示する宛先のリスト位置（０〜ｌｎ−１）、そして「ｏｋ＿ｆｌａｇ」は送信開始操作が可否状態を表す。
【００５８】
ｃｏｎｆ＿ｌｉｓｔには宛先確認画面で表示する各宛先をセットしておく（指定した宛先を順番にセットすればよい）。「Ａ．初期フロー」では、表示するリスト位置ｌｐの初期化後（ステップＳＡ１２０１）、表示する宛先数ｌｎが１であれば（ステップＳＡ１２０２／ＹＥＳ）最初の画面で全宛先を表示するので、ｏｋ＿ｆｌａｇにＴＲＵＥ（送信開始操作可能）を設定し（ステップＳＡ１２０３）、さもなければ（ステップＳＡ１２０２／ＮＯ）最初の画面で全宛先を表示しないので、ｏｋ＿ｆｌａｇにＦＡＬＳＥ（送信開始操作不可）を設定して（ステップＳＡ１２０４）、随時表示更新を行う（ステップＳＡ１２０５）。
【００５９】
「Ｂ．「▲」押下時フロー」や「Ｃ．「▼」押下時フロー」では、表示宛先のリスト位置ｌｐを１減算して前（左）に設定したり（ステップＳＢ１２０１）、１加算して後ろ（右）に設定したり（ステップＳＣ１２０１）して表示更新を行う（ステップＳＢ１２０２、ステップＳＣ１２０４）。なお、「Ｃ．「▼」押下時フロー」において、リスト位置ｌｐを１桁後ろ（右）にずらすほか（ステップＳＣ１２０１）、最後の宛先まで表示する状態（ｌｐ＝ｌｎ−１）になったら（ステップＳＣ１２０２／ＹＥＳ）、ｏｋ＿ｆｌａｇにＴＲＵＥ（送信開始操作可能）を設定する（ステップＳＣ１２０３）。そして、表示更新を行う（ステップＳＣ１２０４）。
【００６０】
「Ｄ．表示更新フロー」では、「Ａ．初期フロー」の処理においては、ｏｋ＿ｆｌａｇの内容に応じて（ステップＳＤ１２０１）ＯＫボタンを表示／非表示にして（ステップＳＤ１２０２及び１２０４）メッセージを表示する（ステップＳＤ１２０３及び１２０５）。また、「Ｂ．「▲」押下時フロー」や「Ｃ．「▼」押下時フロー」の処理においては、ｌｐの値に応じて（ステップＳＤ１２０６及び１２０９）「▲」ボタンや「▼」ボタンの表示／非表示を行う（ステップＳＤ１２０７、１２０８、１２１０、１２１１）。そして、ｃｏｎｆ＿ｌｉｓｔ［ｌｐ］の宛先を表示する（ステップＳＤ１２１２）。
【００６１】
このようにすることにより、ここでは宛先確認画面では一度に１つの宛先しか表示しないため、宛先が複数ある場合、一画面では全宛先の確認ができないが、「▼」を押すことで全宛先を確認でき、かつ、全宛先を確認するまで原稿の読み取りや通信動作が開始できないようになっている。
【００６２】
＜請求項１０記載の動作＞
図１３は、本実施形態において請求項１０記載の動作の画面フローを示した図である。画面（Ａ）でグループ宛先を指定している場合にスタートキー押下によって宛先確認画面が開かれると、その宛先確認画面（Ｂ）ではグループ宛先ではなく、グループ宛先に含まれている宛先を表示する。（Ｂ）では請求項８及び９の動作もしており、このため「▼」を押すことによって（グループ宛先に含まれている）他の宛先も確認でき、（グループ宛先に含まれている）全宛先を確認するまでＯＫが押せないようになっている。
【００６３】
このようにすることにより、グループ宛先を指定した場合でも、宛先確認画面では実際に送信する宛先の内容を確認できるようになる。
【００６４】
＜請求項１１記載の動作＞
図１４は、本実施形態において請求項１１記載の動作の処理フローを示した図である。（ａ）は処理の流れを示したフローチャート、（ｂ）は送信済み宛先リストのテーブルの一例を表している。本処理フローで用いられるパラメータについて述べる。「ｓｅｎｔ＿ｌｉｓｔ」は送信済み宛先リスト、「ａｎ」は指定した宛先数、「ａｄｒ＿ｌｉｓｔ［０］〜ａｄｒ＿ｌｉｓｔ［ａｎ−１］」指定した各宛先、「ｏｋ＿ｆｌａｇ」送信開始操作が可否状態を表す。
【００６５】
ｏｋ＿ｆｌａｇにＦＡＬＳＥを設定し（ステップＳ１４０１）、カウンタｉを初期化した後に（ステップＳ１４０２）、カウンタｉと指定宛先のうち最後の宛先を表す数ａｎ−１とを比較判定を行う（ステップＳ１４０３）。ｉがａｎ−１以下の場合は（ステップＳ１４０３／ＹＥＳ）、宛先ａｄｒ＿ｌｉｓｔ［ｉ］が送信済み宛先リストｓｅｎｔ＿ｌｉｓｔに存在するかの判定に移行し、存在しないとき（ステップＳ１４０４／ＮＯ）に「ｏｋ＿ｆｌａｇにＴＲＵＥを設定する（ステップＳ１４０５）。
【００６６】
そして、宛先ａｄｒ＿ｌｉｓｔ［ｉ］を送信済み宛先リストｓｅｎｔ＿ｌｉｓｔに追加し（ステップＳ１４０６）、カウンタｉを１加算して（ステップＳ１４０７）ｉがａｎ−１を超えるまで上記の流れを、繰り返す（ステップＳ１４０３）。ｉがａｎ−１を超えたとき、「ｏｋ＿ｆｌａｇ＝ＴＲＵＥ」かどうかの判定を行い（ステップＳ１４０８）、ＴＲＵＥのとき（ステップＳ１４０８／ＹＥＳ）は宛先確認画面を開き（ステップＳ１４０９）、ＴＲＵＥでないとき（ステップＳ１４０８／ＮＯ）は送信開始となる（ステップＳ１４１０）。
【００６７】
上述した処理の流れでは、可変長リストである送信済み宛先リストｓｅｎｔ＿ｌｉｓｔに送信したことのある宛先を記憶し、送信済み宛先リストに存在しない宛先が指定された場合のみ、宛先確認画面を開くのが特徴である。すなわち、送信したことのある宛先のみを指定した場合、宛先確認画面を開かずに送信動作（原稿の読み取りや通信動作）を開始する。
【００６８】
このようにすることにより、送信した実績のある宛先を指定する場合、誤送信の可能性は少ないため、宛先確認の手間を省いて、同じ宛先を繰り返し指定する場合などの操作性を向上させることができる。
【００６９】
＜請求項１２記載の動作＞
図１５は、本実施形態において請求項１２記載の動作の処理フローを示した図である。本処理フローで用いられるパラメータについて述べる。「ｓｅｎｔ＿ｌｉｓｔ」は送信済み宛先リスト、「ａｎ」は指定した宛先数、「ａｄｒ＿ｌｉｓｔ［０］〜ａｄｒ＿ｌｉｓｔ［ａｎ−１］」は指定した各宛先、「ｏｋ＿ｆｌａｇ」は送信開始操作が可否状態、「ｌｎ」は宛先確認画面で表示する宛先数、「ｃｏｎｆ＿ｌｉｓｔ［０］〜ｃｏｎｆ＿ｌｉｓｔ［ｌｎ−１］」は宛先確認画面で表示する各宛先を表す。
【００７０】
本処理フローは図１４のフローとほぼ同じであるが、送信済み宛先リストに存在しない宛先を宛先確認画面で表示する点で図１４と異なる。すなわち、ｏｋ＿ｆｌａｇをＦＡＬＳＥに設定し（ステップＳ１５０１）、ｌｎ及びｉの初期化後（ステップＳ１５０２及び１５０３）、宛先ａｄｒ＿ｌｉｓｔ［ｉ］がｓｅｎｔ＿ｌｉｓｔ中に存在しない場合は（ステップＳ１５０５／ＮＯ）、ｏｋ＿ｆｌａｇをＦＡＬＳＥに設定するとともに（ステップＳ１５０６）、ａｄｒ＿ｌｉｓｔ［ｉ］をｃｏｎｆ＿ｌｉｓｔ［ｌｎ］に設定する（ステップＳ１５０７）。そして、宛先ａｄｒ＿ｌｉｓｔ［ｉ］をｓｅｎｔ＿ｌｉｓｔに追加し（ステップＳ１５０９）、カウンタｌｎ及びｉを加算しながらｉがａｎ−１を超えるまで繰り返す（ステップＳ１５０８及び１５１０、ステップＳ１５０４）。そして、「ｏｋ＿ｆｌａｇ＝ＴＲＵＥ」となったとき（ステップＳ１５１１／ＹＥＳ）は宛先確認画面を開き（ステップＳ１５１２）、そうでないとき（ステップＳ１５１１／ＮＯ）は送信開始となる（ステップＳ１５１３）。
【００７１】
上記の処理フローでは、図１４に加えて、ｃｏｎｆ＿ｌｉｓｔ（宛先確認画面で表示する各宛先）には送信済み宛先リストにない宛先のみセットするようにしている。
【００７２】
このようにすることにより、複数宛先指定時に、送信したことのある宛先と送信したことのない宛先の両方が混在していた場合でも、宛先確認画面では送信したことのない宛先のみが表示される（送信の実績のある宛先は表示されない）ため、宛先確認の手間が最小限で済む。
【００７３】
＜請求項１３及び１４記載の動作＞
図１６は、本実施形態において請求項１３及び１４記載の動作の画面フローを示した図で、ユーザ管理の一例を表す。ここでは、機能（コピー、ファクス等）を使用する際、（Ａ）のようにユーザ名とパスワードを入力してログインする必要があるようになっている。また、ユーザ管理テーブルに示すように、使用できる機能がユーザごとに設定されており、図の例ではファクスを使用しようとする際、ユーザ名「ｓｕｚｕｋｉ」さんは、（Ｂ１）及び（Ｃ１）に示すように、ログインすればファクスが使用できるが、「ｓａｔｏｈ」さんはファクスが使用可能となっていないためログインしても使用できない（画面（Ｂ２）及び（Ｃ２））。
【００７４】
図１７は、本実施形態において請求項１３及び１４記載の動作の処理フローを示した図で、（ａ）は処理の流れを示したフローチャート、（ｂ）はユーザ管理テーブルの例を表している。本処理フローで用いられるパラメータやフロー自体は、図１５のものとほぼ同様であるが、（ｂ）のユーザ管理テーブルに示すように、ユーザごとに送信済み宛先リストｓｅｎｔ＿ｌｉｓｔを保持し、送信済み宛先リストでの存否チェックや該リストへの追加をログインユーザに対応して行う点で図１５と異なる。
【００７５】
すなわち、ｏｋ＿ｆｌａｇの設定や、ｌｎ及びｉの初期化後（ステップＳ１７０１〜１７０３）、宛先ａｄｒ＿ｌｉｓｔ［ｉ］がログインユーザのｓｅｎｔ＿ｌｉｓｔ中に存在しない場合は（ステップＳ１７０５／ＮＯ）、ｏｋ＿ｆｌａｇのＴＲＵＥ設定と、ａｄｒ＿ｌｉｓｔ［ｉ］のｃｏｎｆ＿ｌｉｓｔ［ｌｎ］への設定を行う（ステップＳ１７０６及び１７０７）。そして、宛先ａｄｒ＿ｌｉｓｔ［ｉ］をログインユーザのｓｅｎｔ＿ｌｉｓｔに追加し（ステップＳ１７０９）、カウンタを加算しながらｉがａｎ−１を超えるまで繰り返す（ステップＳ１７０８及び１７１０、ステップＳ１７０４）。そして、「ｏｋ＿ｆｌａｇ＝ＴＲＵＥ」となったとき（ステップＳ１７１１／ＹＥＳ）は宛先確認画面を開き（ステップＳ１７１２）、そうでないとき（ステップＳ１７１１／ＮＯ）は送信開始となる（ステップＳ１７１３）。
【００７６】
本処理フローでは、送信済み宛先リストに存在しない宛先自体を宛先確認画面で表示する点で図１４のフローと異なる。ここではファクスはユーザ名でログインして使用することが前提となっており、ユーザごとに送信済み宛先リストを保持しているのが特徴である。本処理フローの図１５のフローとの違いは、送信済み宛先リストがユーザごとのものを用いている点だけである。
【００７７】
このようにすることにより、請求項１１及び１２の場合と異なり、他のユーザが使用したことがある宛先でもそのユーザが使用したことがなければ宛先確認の対象となるため、ユーザごとの使用状況に応じて、宛先確認画面を開いたり、宛先確認画面で確認すべき宛先が表示されたりするようになる。
【００７８】
また、電話帳に登録された宛先が修正された場合、その宛先修正を知らないユーザが指定してしまうと、誤送信になってしまう危険性が高いが、その点に対しても本請求項の場合は有用である。宛先修正後、あるユーザが初めてその宛先を指定した場合、修正前にその宛先を指定したことがあったとしても、その宛先はそのユーザにとって「送信済み宛先リストにない宛先」という扱いになり、宛先確認の対象となるためである。
【００７９】
＜請求項１５記載の動作＞
図１８は、本実施形態において請求項１５記載の動作の処理フローを示した図である。（ａ）は処理の流れを示したフローチャート、（ｂ）は送信済み宛先リストのテーブルの例を表している。本処理フローで用いられるパラメータについて述べる。「ｓｅｎｔ＿ｌｉｓｔ」は送信済み宛先リスト、「ａｎ」は指定した宛先数、「ａｄｒ＿ｌｉｓｔ［０］〜ａｄｒ＿ｌｉｓｔ［ａｎ−１］」は指定した各宛先、「ｏｋ＿ｆｌａｇ」は送信開始操作が可否状態を表す。
【００８０】
本処理フローでは、送信済み宛先リストで宛先ごとに使用日時（最も直近に使用した日時）を保持するようになっている。そして、指定した宛先が送信済み宛先リストに存在する場合でも、使用日時が現在日時より一定時間以上前、すなわち長期間送信した実績がなければ、送信したことのない宛先とみなして宛先確認の対象としている。
【００８１】
ｏｋ＿ｆｌａｇにＦＡＬＳＥを設定し（ステップＳ１８０１）、カウンタｉを初期化した後（ステップＳ１８０２）、宛先ａｄｒ＿ｌｉｓｔ［ｉ］がｓｅｎｔ＿ｌｉｓｔ中に存在するか否かを判定する（ステップＳ１８０４）。存在しない場合は（ステップＳ１８０４／ＮＯ）、ｏｋ＿ｆｌａｇをＴＲＵＥに設定し（ステップＳ１８０５）、宛先ａｄｒ＿ｌｉｓｔ［ｉ］をｓｅｎｔ＿ｌｉｓｔに追加する（ステップＳ１８０６）。なお、該追加に際して使用日時を現在日時として行う。
【００８２】
他方、宛先ａｄｒ＿ｌｉｓｔ［ｉ］がｓｅｎｔ＿ｌｉｓｔ中に存在する場合は（ステップＳ１８０４／ＹＥＳ）、ｓｅｎｔ＿ｌｉｓｔ上のその宛先の使用日時を取得し（ステップＳ１８０７）、該使用日時が現在日時より一定時間以上前、つまり一定期間経過しているとき（ステップＳ１８０８／ＹＥＳ）、ｏｋ＿ｆｌａｇをＴＲＵＥに設定し（ステップＳ１８０９）、ｓｅｎｔ＿ｌｉｓｔ上のその宛先の使用日時を現在日時に更新する（ステップＳ１８１０）。以上の処理をｉがａｎ−１を超えるまで行う（ステップＳ１８０３）。
【００８３】
そして、ｉがａｎ−１を超え（ステップＳ１８０３／ＮＯ）、「ｏｋ＿ｆｌａｇ＝ＴＲＵＥ」となったとき（ステップＳ１８１２／ＹＥＳ）は宛先確認画面を開き（ステップＳ１８１３）、そうでないとき（ステップＳ１８１２／ＮＯ）は送信開始となる（ステップＳ１８１４）。
【００８４】
先に述べてきた本発明の実施形態の機能を実現するソフトウェアのプログラムコードを記録したコンピュータ読み取り可能な記録媒体、すなわち記憶メディアを通信装置に供給し、通信装置のコンピュータ（ＣＰＵやＭＰＵ）が記憶メディアに格納されたプログラムコードを読み出し実行することによっても、本発明の目的を達成することは可能である。
【００８５】
この場合、記憶メディアから読み出されたプログラムコード自体が前述の実施形態の機能を実現することになり、そのプログラムコードを記憶したコンピュータ読み取り可能な記録媒体は本発明を構成する。
【００８６】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、ＣＤ−ＲＷ、不揮発性のメモリカード、磁気テープ等を用いることができる。
【００８７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８８】
上記の実施形態によれば、宛先を指定して送信開始操作をしようとした際、まず指定した宛先の内容を確認する画面（宛先確認画面）を表示させ、宛先確認画面で確認ＯＫの操作を行ってはじめて送信動作を開始するようにしているので、実際に送信動作を開始する前に、宛先内容の確認を必然的に行わせることができ、宛先の誤指定による誤送信を防止することが可能となる。
【００８９】
また、上記の実施形態によれば、宛先確認画面で、一画面で表示できない宛先情報（宛先そのもののほか、宛先に付随する各情報）がある場合、スクロール操作や別画面表示等により、最初に表示できなかった宛先情報も表示させるようにしているので、一画面で表示しきれない宛先情報がある場合でも、宛先情報を確認することができ、宛先情報の誤指定による誤送信を防止することが可能となる。
【００９０】
また、上記の実施形態によれば、宛先確認画面で、一画面で表示できない宛先情報がある場合、最初に表示できなかった宛先情報を確認する操作が行われるまで、確認ＯＫの操作ができないようにしているので、宛先情報の確認を確実に行わせることができ、宛先情報の誤指定による誤送信をより防止することが可能となる。
【００９１】
また、上記の実施形態によれば、宛先確認画面で、一画面で全桁表示できない場合、スクロール操作等によって表示できていない部分も表示させるようにしているので、宛先確認画面で一度に全桁表示できない長い番号の宛先でも、全桁確認することができ、長い番号の宛先の誤指定による誤送信を防止することが可能となる。
【００９２】
また、上記の実施形態によれば、宛先確認画面で、一画面で全桁表示できない場合、全桁が表示される操作が行われるまで、確認ＯＫの操作ができないようにしているので、宛先確認画面で一度に全桁表示できない長い番号の宛先に対しても、全桁の確認を確実に行わせることができ、長い番号の宛先の誤指定による誤送信をより防止することが可能となる。
【００９３】
また、上記の実施形態によれば、宛先確認画面で、宛先に付加情報（Ｆコード等）がある場合、その宛先の付加情報を確認する画面も表示できるようにしているので、宛先の付加情報の誤指定による誤送信を防止することが可能となる。
【００９４】
また、上記の実施形態によれば、宛先に付加情報（Ｆコード等）がある場合、その宛先の付加情報を確認する画面の表示を行うまで、確認ＯＫの操作ができないようにしているので、付加情報のある宛先に対して、付加情報の確認を確実に行わせることができ、宛先の付加情報の誤指定による誤送信をより防止することが可能となる。
【００９５】
また、上記の実施形態によれば、宛先確認画面で、複数宛先指定時に一画面で表示しきれない宛先がある場合、スクロール操作によって表示できていない宛先も表示させるようにしているので、宛先を複数指定した場合も、全宛先を確認することができ、複数宛先指定時に宛先の誤指定による誤送信を防止することが可能となる。
【００９６】
また、上記の実施形態によれば、宛先確認画面で、複数宛先指定時に一画面で表示しきれない宛先がある場合、全宛先が表示される操作が行われるまで、確認ＯＫの操作ができないようにしているので、宛先を複数指定した場合、全宛先の確実に行わせることができ、複数宛先指定時に宛先の誤指定による誤送信をより防止することが可能となる。
【００９７】
また、上記の実施形態によれば、グループ宛先が指定されている場合、宛先確認画面にはグループ宛先に含まれている実際に送信する宛先を表示するようにしているので、実際に送信する宛先の番号を確認することができ、グループ宛先の誤指定による誤送信を防止することが可能となる。
【００９８】
また、上記の実施形態によれば、送信したことのある宛先を保持しておき、過去に送信したことのない宛先を指定した場合のみ、宛先確認画面を表示するようにしているので、送信した実績のある宛先を指定した場合は、宛先確認が省略でき、宛先の誤指定による誤送信を防止しつつ、同じ宛先を繰り返し指定する場合の操作性を向上させることが可能となる。
【００９９】
また、上記の実施形態によれば、複数宛先指定した場合、そのうち過去に送信したことのない宛先（未送信宛先）が含まれる場合、未送信宛先のみを宛先確認画面に表示するようにしているので、確認すべき宛先のみが宛先確認画面に表示され、確認が不要な宛先は宛先確認画面に表示されなくなり、宛先の誤指定による誤送信を防止しつつ、宛先確認の操作の手間を最小限にすることが可能となる。
【０１００】
また、上記の実施形態によれば、ユーザごとに、送信したことのある宛先を保持しておき、そのユーザが過去に送信したことのない宛先を指定した場合のみ、宛先確認画面を表示するようにしているので、ユーザごとに、そのユーザが送信した実績のある宛先を指定した場合は、宛先確認を省略でき、宛先の誤指定による誤送信を防止しつつ、ユーザごとの使用状況に応じて、そのユーザが同じ宛先を繰り返し指定する場合の操作性を向上させることが可能となる。
【０１０１】
また、上記の実施形態によれば、ユーザごとに、送信したことのある宛先を保持しておき、複数宛先指定した場合、そのうちそのユーザが過去に送信したことのない宛先（未送信宛先）が含まれる場合、そのユーザの未送信宛先のみを宛先確認画面に表示するようにしているので、そのユーザが確認すべき宛先のみが宛先確認画面に表示され、そのユーザが確認不要な宛先は宛先確認画面に表示されなくなり、宛先の誤指定による誤送信を防止しつつ、ユーザごとの使用状況に応じて、そのユーザが行う宛先確認の操作の手間を最小限することが可能となる。
【０１０２】
また、上記の実施形態によれば、送信したことのある宛先でも、前回送信時から一定期間経っていたら、その宛先は確認対象とするようにしているので、初めて指定した宛先と同様の誤指定のリスクがある、長期間使用されていない宛先が指定された場合の誤指定による誤送信を防止することが可能となる。
【図面の簡単な説明】
【０１０３】
【図１】本発明の実施形態に係る通信装置の内部構成を示した図である。
【図２】本発明の実施形態に係る通信装置の操作表示部の一例を示した図である。
【図３】本発明の実施形態における宛先入力時の画面フロー例を示した図である。
【図４】本発明の実施形態における宛先入力時の画面フロー例を示した図である。
【図５】本発明の実施形態における宛先入力時の画面フロー例を示した図である。
【図６】本発明の実施形態における宛先入力時の画面フロー例を示した図である。
【図７】本発明の実施形態における宛先入力時の画面フロー例を示した図である。
【図８】本発明の実施形態における宛先入力時の処理の流れを示したフローチャートである。
【図９】本発明の実施形態における宛先入力時の画面フロー例を示した図である。
【図１０】本発明の実施形態における宛先入力時の処理の流れを示したフローチャートである。
【図１１】本発明の実施形態における宛先入力時の画面フロー例を示した図である。
【図１２】本発明の実施形態における宛先入力時の処理の流れを示したフローチャートである。
【図１３】本発明の実施形態における宛先入力時の画面フロー例を示した図である。
【図１４】本発明の実施形態における宛先入力時の処理の流れを示したフローチャートである。
【図１５】本発明の実施形態における宛先入力時の処理の流れを示したフローチャートである。
【図１６】本発明の実施形態における宛先入力時の画面フロー例を示した図である。
【図１７】本発明の実施形態における宛先入力時の処理の流れを示したフローチャートである。
【図１８】本発明の実施形態における宛先入力時の処理の流れを示したフローチャートである。
【符号の説明】
【０１０４】
１    システム制御部
２    システムメモリ
３    パラメータメモリ
４    時計回路
５    スキャナ
６    プロッタ
７    操作表示部
８    符号化復号化部
９    画像蓄積装置
１０    Ｇ３ファクシミリモデム
１１    網制御装置
１２    内部バス
７１    スタートキー
７２    ストップキー
７３    テンキー
７４    クリアキー
７５    ファクスキー
７６    コピーキー
７７    初期設定キー
７８    液晶表示器
７９    タッチパネル
【図１】
2008104019.tif 000003
【図２】
2008104019.tif 000004
【図３】
2008104019.tif 000005
【図４】
2008104019.tif 000006
【図５】
2008104019.tif 000007
【図６】
2008104019.tif 000008
【図７】
2008104019.tif 000009
【図８】
2008104019.tif 000010
【図９】
2008104019.tif 000011
【図１０】
2008104019.tif 000012
【図１１】
2008104019.tif 000013
【図１２】
2008104019.tif 000014
【図１３】
2008104019.tif 000015
【図１４】
2008104019.tif 000016
【図１５】
2008104019.tif 000017
【図１６】
2008104019.tif 000018
【図１７】
2008104019.tif 000019
【図１８】
2008104019.tif 000020